(57)【要約】【課題】  搬送、格納が容易であり、各家庭のベランダ等の狭い場所でも容易に設置でき、個人でも容易に組立、解体ができる水耕栽培装置を提供すること。【解決手段】  複数の通気孔１８、１９を備えた組み立て式又は折り畳み式の通気性支持枠１と、上記支持枠１内に挿入され周囲に多数の通気用メッシュ７を備えた籠２と、上記籠２内に保持されて内部に養液Ａを収容した通気性シート８Ａからなる水槽８と、上記支持枠１又は上記籠２の開口端に載置した蓋３と、上記蓋３に形成した一つ又は複数の開口６と、上記開口６に嵌合した挟持具４と、上記挟持具４に種子を保持した状態で挟持されながら上記養液Ａ内に浸されて養液を吸い上げる播種用の給水シート５とからなる。【選択図】  図１
2018074956.tif 000002
【特許請求の範囲】
【請求項１】
複数の通気孔（１８）、（１９）を備えた組み立て式又は折り畳み式の通気性支持枠（１）と、上記支持枠（１）内に挿入され周囲に多数の通気用メッシュ（７）を備えた籠（２）と、上記籠（２）内に保持されて内部に養液（Ａ）を収容した通気性シート（８Ａ）からなる水槽（８）と、上記支持枠（１）又は上記籠（２）の開口端に載置した蓋（３）と、上記蓋（３）に形成した一つ又は複数の開口（６）と、上記開口（６）に嵌合した挟持具（４）と、上記挟持具（４）に種子（Ｓ）を保持した状態で挟持されながら上記養液（Ａ）内に浸されて養液を吸い上げる播種用の給水シート５とからなる水耕栽培装置。
【請求項２】
上記支持枠（１）が前後一対の板（９）、（１０）と、左右一対の板（１１）、（１２）と、前後一対の板（９）、（１０）の下部内周に水平に起立した一つ又は複数の支持片（１３）と、上記前後一対の板（９）、（１０）又は左右一対の板（１１）、（１２）のいずれか一方の板の両端部に形成した上側係止孔（１４）及び下側切欠き溝（１５）と、他方の板の両端に形成した上下一対の上向きフック（１６）、（１７）とを備え、上記一方の各上側フック（１６）が上記上側係止孔（１４）内に嵌合し、上記他方のフック（１７）が上記下側の切欠き溝（１５）に嵌合している請求項１に記載の水耕栽培装置。
【請求項３】
上記前後一対の板（９）、（１０）の板本体（９Ａ）、（１０Ａ）と左右の一対の板（１１）、（１２）の板本体（１１Ａ）、（１２Ａ）の各外側面又は内側面に長手方向に沿って一つ又は複数の溝（１９）、（２０）が形成され、また上記溝（１９）、（２０）に開口しながら上記各板本体（９Ａ）、（１０Ａ）、（１１Ａ）、（１２Ａ）を貫通する通気孔（１８）がそれぞれ形成されている請求項２に記載の水耕栽培装置。
【請求項４】
上記通気性シート（８Ａ）が気体を透過し、液体の透過を遮断する不織布から成形されている請求項１〜３のいずれか１項に記載の水耕栽培装置。
【請求項５】
上記挟持具（４）が一対の挟持部材（４Ａ）、（４Ｂ）からなり、上記各挟持部材（４Ａ）、（４Ｂ）が横断面半円状の柱体からなる本体部（４０Ａ）、（４０Ｂ）と、各本体部（４０Ａ）、（４０Ｂ）の両側当接面（ａ）、（ｂ）と、上記当接面（ａ）、（ａ）及び（ｂ）、（ｂ）間に形成されている軸方向に沿う凹部（ｃ）、（ｄ）と、一方の本体部（４０Ａ）の内周に水平に形成しシート嵌合用の溝（ｅ）と、他方の本体部（４０Ｂ）の内周に突設して上記溝（ｅ）内にシート（５）を押し込みながら嵌合する突起（４０Ｃ）と、から構成されている請求項１〜４のいずれか１項に記載の水耕栽培装置。
【請求項６】
上記籠２が前後の網目状枠体（２Ａ）、（２Ｂ）と、左右の網目状枠体（２Ｃ）、（２Ｄ）と、網目状の底板（２Ｅ）とで構成され、各網目状枠体（２Ａ）、（２Ｂ）、（２Ｃ）、（２Ｄ）と底板（２Ｅ）には通気用のメッシュ７が形成され、組み立て式又は折り畳み式に組み込まれている請求項１〜５のいずれか１項に記載の水耕栽培装置。
【請求項７】
上記通気シート８Ａの外縁部８Ｂが止め具２１を介して上記籠２の上端周囲に着脱自在に固定されている請求項１〜６のいずれか１項に記載の水耕栽培装置。
【発明の詳細な説明】
【技術分野】
【０００１】
本発明は一戸建て住宅、マンションのベランダ等に設置してホウレン草等の軟弱野菜、花その他の植物を栽培するのに適する水耕栽培装置に関する。
【背景技術】
【０００２】
従来、動力源を用いた大掛かりな循環・冷却装置を使用せずにホウレン草やサラダ菜等のいわゆる軟弱野菜を栽培する湛水式養液栽培装置からなる水耕栽培装置が開発されている。
【０００３】
この水耕栽培装置として、例えば、特許文献１に開示されているタイプのものを本特許出願人が開発している。
【０００４】
この特許文献１に示す水耕栽培装置は、支持具と、支持具によって所定の高さに支持された水槽と、水槽の開口部に設置された蓋と、蓋に形成した切り込み溝と、切り込み溝に挿入されて蓋の表面から水槽内に伸ばした給水シートとを備え、給水シートの片面に沿って植物の根が延びるように種をまくものである。
【０００５】
この特許文献１に示す水耕栽培装置によれば、動力源を用いた大掛かりな循環・冷却装置を使用しないので構造がシンプルとなり、軟弱野菜を安価に生産でき、また、根圏温度の上限が低い植物を高温地域でも周年栽培が可能となる。
【先行技術文献】
【特許文献】
【０００６】
【特許文献１】特開平８−２９４３３５号公報（要約、図１参照)
【発明の概要】
【発明が解決しようとする課題】
【０００７】
近年、一戸建て住宅やマンション等に住む住民は各家庭のベランダ等に小型の植物栽培装置を設定し、この小型サイズの装置で野菜や花その他の植物の栽培を行う場合が多くなっている。
【０００８】
しかしながら、上記従来の水耕栽培装置や、上記特許文献１に示す水耕栽培装置は構造上若しくは機能上欠陥が有るわけではないが、上記家庭用の植物栽培装置には適しない不具合があり、その改善が望まれている。
【０００９】
即ち、ベランダ等に設置する家庭用の植物栽培装置は小型であることが望ましく、また、装置の購入後その搬送や組立てが容易であることが望ましいが、上記従来の水耕栽培装置は循環・冷却式のものに比べて小型化されているとはいえ、部品点数が多く、搬送や組立が困難である。
【００１０】
例えば、特許文献１に示す水耕栽培装置は水槽が一体化された籠型容器であることから販売業者や購入者がこの水槽をコンパクトにして各家庭まで搬送できず、或いはコンパクトにして格納できない不具合がある。
【００１１】
また、水槽を立て掛ける支持具も搬送時に嵩張り、搬送、格納が面倒であるばかりでなく、ベランダに立て掛ける場所が制約され、組立作業も面倒である。
【００１２】
そこで、本発明の目的は、搬送、格納が容易であり、各家庭のベランダ等の狭い場所でも容易に設置でき、個人でも容易に組立、解体ができる水耕栽培装置を提供することである。
【課題を解決するための手段】
【００１３】
上記課題を解決する手段は、複数の通気孔を備えた組み立て式又は折り畳み式の通気性支持枠と、上記支持枠内に挿入され周囲に多数の通気用メッシュを備えた籠と、上記籠内に保持されて内部に養液を収容した通気性シートからなる水槽と、上記支持枠の開口端に載置した蓋と、上記蓋に形成した一つ又は複数の開口と、上記開口に嵌合した挟持具と、上記挟持具に種子を保持した状態で挟持されながら上記養液内に浸されて養液を吸い上げる播種用の給水シートとからなることを特徴とする。
【発明の効果】
【００１４】
本発明によれば、次の効果を達成できる。
１）支持枠が組み立て式又は折り畳み式であるから搬送時や格納時に嵩張らずコンパクトにでき、その結果搬送、格納のスペースが小さくてよく、販売業者のみならず個人でも購入後各家庭に容易に搬送できる。
【００１５】
また、支持枠を組み立て式又は折り畳み式に構成した場合、当該支持枠の構成部材を独立して成形できるので各構成部材の加工が容易であるばかりでなく支持枠全体の成形が容易であり、成形コストの削減を図れる。
【００１６】
即ち、支持枠は金型を利用しても成形可能であるが、本発明のような箱型の支持枠を成形するには大型の金型を使用する必要があり、特に、金型を利用して支持枠を成形する場合は係止孔、溝等の成形の後加工が必要となるが、本発明の支持枠は組立式又は折り畳み式であるからこのような大型の金型、設備が不要となり、二次加工も不要となり、加工性、経済性の向上を図れる。
２）支持枠の内部と上端とにそれぞれ籠、蓋、挟持具、給水シートを重ねて設置できるから各部材を組み付けたときの全体の水耕栽培装置がコンパクトであり設置スペースが小さくて済む。
【００１７】
従って、一戸建ての住宅やマンションのベランダ等にも設置でき、商業用のみならず家庭用の水耕栽培装置にも適する。
３）支持枠上に他の籠等の部品を重ねておくことが出来るので、特別な支持装置が不要であり、設置作業が簡単容易であり、ベランダ等に簡単に設置できる。
４）通気性シートは気体を透過するので日光等で養液が高温になろうとするとき蒸発し、その蒸気が水槽から出るためその時の気化熱で水槽と養液が冷やされ植物の育成を阻害しないようになっている。
【００１８】
同じように、籠２や支持枠１も通気性があるので換気が可能で、水槽内の養液が高温になるのが防止される。
【図面の簡単な説明】
【００１９】
【図１】本発明の一実施の形態に係る水耕栽培装置の一部切欠き斜視図である。
【図２】図１のＡ−Ａ線縦断正面図である。
【図３】図１のＢ−Ｂ線縦断側面図である。
【図４】（Ａ）蓋が支持枠上に載置され、野菜が成長した状態を示す図３と同じ縦断側面図である。（Ｂ）蓋が籠上に載置され、野菜が成長した状態を示す他の実施の形態に係る縦断側面図である。
【図５】図１の水耕栽培装置の分解斜視図である。
【図６】支持枠を分解した状態の斜視図である。本発明の一実施の形態に係る播種装置を備えた水耕栽培装置を利用した植物の栽培過程を示した図である。
【図７】（Ａ）（Ｂ）支持枠の組立工程を示す斜視図である。
【図８】蓋と挟持具の斜視図である。
【図９】挟持具と給水シートの分解斜視図である。
【図１０】給水シートを取付けた挟持具の側面図である。
【図１１】他の実施の形態に係る支持枠の斜視図である。
【図１２】図１２の支持枠の分解斜視図である
【図１３】（Ａ）（Ｂ）図１２の支持枠の組立工程を示す斜視図である。
【発明を実施するための形態】
【００２０】
以下に本発明の一実施の形態について、図１〜図１３を参照しながら説明する。
【００２１】
本発明は小型の水耕栽培装置に関し、特に一戸建て住宅、マンションのベランダ等に設置してホウレン草等の軟弱野菜、花その他の植物を栽培するのに適するものである。
【００２２】
但し、この水耕栽培装置は、もとより業務用の大型の水耕栽培装置にも使用可能である。
【００２３】
本発明の一実施の形態に係る水耕栽培装置Ｐは図１〜、図１１に示すように、複数の通気孔１８、１９を備えた組み立て式の通気性支持枠１と、上記支持枠１内に挿入され周囲に多数の通気用メッシュ７を備えた籠２と、上記籠２内に保持されて内部に養液Ａを収容した通気性シート８Ａからなる水槽８と、上記支持枠１又は籠２の上端における開口端に載置した定植板たる蓋３と、上記蓋３に形成した複数の開口６と、上記開口６に嵌合した挟持具４と、上記挟持具４に種子Ｓを保持した状態で挟持されながら上記養液Ａ内に浸されて養液を吸い上げる播種用の給水シート５と、からなるものである。
【００２４】
この場合、蓋３は図１〜図４（Ａ）に示すように支持枠１の開口端上に載せても良く、又は図４（Ｂ）の他の実施の形態に示すように籠２の開口端上に載せても良い。
【００２５】
特に、蓋３が風などの影響でずれ、又は飛ばされるのを防止する為、図４（Ｂ）のように支持枠１内であって、籠２の上端に落し蓋のようにして載置しておくのが好ましい。
【００２６】
更に、蓋３は支持枠１や籠２の大きさに合わせて一枚の板で一体成型しても良く、組み立て式、折り畳み式、分割式に成形しても良い。
【００２７】
また、上記支持枠１は後述するように組立式に成形されているが、折り畳み式に成形しても良い。
【００２８】
この支持枠１は発砲スチロールで成形して軽量化と加工性の向上を図っているが、木製、金属製で成形しても良い。
【００２９】
また、上記籠２は一体化された容器状に構成されているが、これも支持枠１と同じように組み立て式又は折り畳み式に成形しても良い。
【００３０】
図示した実施の形態では、籠２が支持枠１内に二つ挿入されているが、一つでも良く、二つ以上であっても良い。
【００３１】
支持枠１は図５、図６から分かるように、前後一対の板９、１０と、左右一対の板１１、１２と、前後一対の板９、１０の下部内周に水平に起立した一つ又は複数の支持片１３とを備えている。
【００３２】
上記支持枠１を構成する板９，１０、１１，１２等は単独で成形され、その後これらの構成部材を箱状に組立式又は折り畳み式に組み付けるものであるが、金型を利用して一体成型することも可能である。
【００３３】
さらに、支持枠１は前後一対の板９、１０の両端部に形成した上側係止孔１４及び下側切欠き溝１５と、左右の板１１、１２の両端に形成した上下一対の上向きフック１６、１７とを備えており、各上側フック１６を上側係止孔１４内に嵌合し、他方のフック１７を下側の切欠き溝１５に嵌合させている。
【００３４】
前後一対の板９、１０の板本体９Ａ、１０Ａと左右の一対の板１１、１２の板本体１１Ａ、１２Ａの各外側面又は内側面に長手方向に沿ってそれぞれ上下二つの溝１９、２０が形成され、また各溝１９、２０に開口しながら各板本体９Ａ、１０Ａ、１１Ａ、１２Ａを貫通する通気孔１８、１８がそれぞれ形成されている。
【００３５】
支持枠１の支持片１３は籠２の底を支えるもので、籠２の数に応じて複数設けられるようになっている。
【００３６】
この場合、支持片１３に代えて底板を板９、１０、１１、１２の下部に着脱自在に取付けても良い。
【００３７】
溝１９、２０と通気孔１８は水槽８内の養液が高温にならないように外気を導入し、又は蒸発した養液の蒸気を外部に排出して換気できるようにしている。
【００３８】
溝１９、２０は無くても使用可能である。
【００３９】
支持枠１を構成する各板９、１０、１１、１２は搬送時、又は格納時にばらばらにしてコンパクトに重ね合わされる。
【００４０】
この為、販売業者、又は個人の購入者が水耕栽培装置の搬送を容易にし、格納スペースを小さくできる。
【００４１】
支持枠１を箱状に組み立てる場合は、図６、図７に示すように、前後の板９、１０に形成した上側の係止孔１４に左右の板１１、１２の端部上側のフック１６を挿入して嵌合させ、同様に、前後の板９、１０の下側溝１５に左右の板１１，１２の端部下側のフック１７を嵌合させ、この状態で前後の板９、１０を若干下方に向けて押し込む。
【００４２】
この場合、各フック１６、１７は上向きに成形されているから、前後の板９、１０を下げた時各フック１６、１７が前後の板９、１０の外側面に当接して抜けなくなる。
【００４３】
各フック１６、１７は下向きであっても使用可能である。
【００４４】
籠２は図６に示すように前後の網目状枠体２Ａ、２Ｂと、左右の網目状枠体２Ｃ、２Ｄと、網目状の底板２Ｅとで構成され、各網目状枠体２Ａ、２Ｂ、２Ｃ、２Ｄと底板２Ｅには通気用のメッシュ７からなる通気孔が形成されている。
【００４５】
メッシュ７は外気を水槽８側に導入し、又は水槽８内の蒸発した水蒸気を外部に排出して換気ができるようにしている。
【００４６】
上記籠２は上方が開口した一体型の容器であるが、上記支持枠１と同じように組み立て式又は折り畳み式に組み込んでも良い。
【００４７】
上記通気性シート８Ａは公知のように気体を透過し、液体の透過を遮断する不織布から成形されているが、これに限定されるものでは無い。
【００４８】
例えば、軽くて、水に強く、水の透過を遮断し、強度があり、水蒸気や空気等の気体を透過し通気性に富むものであれば紙製、合成樹脂製のいずれのシートでも使用可能である。
【００４９】
この通気性シート８Ａを利用した水槽８は図２〜図５に示すように、籠２の内部に押し込まれ、上方が開口する容器状に成形されて内部に養液Ａを充満するものである。
【００５０】
そして、この通気性シート８Ａの外縁部８Ｂが図５に示すように、止め具２１を介して上記籠２の上端周囲に着脱自在に固定されている。
【００５１】
上記蓋３は図示のように複数の開口６が形成されて複数の挟持具４を嵌合するようにしているが、この開口６は長手方向に沿って長い一つの開口にしても良い。
【００５２】
開口６を長くした場合は挟持具４を一つの長方体として成形し、一つの長方体状の挟持具４に複数の通気性シート８Ａを挟み込み、各通気性シート８Ａに種子を置くようにしても良い。
【００５３】
図示した実施形態に係る挟持具４は図９、図１０に示すように、一対の挟持部材４Ａ、４Ｂから構成されている。
【００５４】
各挟持部材４Ａ、４Ｂは横断面半円状の柱体からなる本体部４０Ａ、４０Ｂと、各本体部４０Ａ、４０Ｂの両側当接面ａ、ｂと、各当接面ａ、ａ及びｂ、ｂ間に形成されている軸方向に沿う凹部ｃ、ｄと、一方の本体部４０Ａの内周に水平に形成しシート嵌合用の溝ｅと、他方の本体部４０Ｂの内周に突設して上記溝ｅ内にシート５を押し込みながら嵌合する突起４０Ｃと、から構成されている。
【００５５】
そして一方の挟持部材４Ａの溝ｅ内に給水シート５の一部を押し込みながら、突起４０Ｃを嵌合させ、且つこの給水シート５を一対の挟持部材４Ａ、４Ｂで挟み込むようにしている。
【００５６】
突起４０Ｃは無くても使用可能である。この場合は、予め溝ｅ内に工具で給水シート５の一部を押し込んで使用する。
【００５７】
給水シート５は溝ｅに嵌合しているので、この給水シート５の溝ｅより上部が折れ曲がっているので図１０に示すようにこの給水シート５上に植物の種子Ｓを置くことが出来る。
【００５８】
図１１〜図１３は他の実施の形態に係る支持枠１を示している。
【００５９】
この支持枠１は前後一対の板９、１０と、左右一対の板１１、１２と、前後一対の板９、１０の下部内周に水平に起立した一つ又は複数の支持片１３とを備えている点で図１〜図７の支持枠１と同じであるが、係止孔１４と、切欠き溝１５と、フック１６、１７の組付け位置を変更したものである。
【００６０】
即ち、この支持枠１は左右一対の板１１、１２の両端部に上側係止孔１４及び下側切欠き溝１５を形成し、前後一対の９、１０の両端に上下一対の上向きフック１６、１７を形成したものである。
【００６１】
そして、前後一対の板９、１０の上側フック１６を左右の一対の板１１、１２の上側係止孔１４内に嵌合し、フック１７を下側の切欠き溝１５に嵌合させているものである。
【００６２】
左右一対の板１１、１２の両端には図示のようにフック１６、１７を挟む耳片が設けられているが、この耳片は無くても使用可能である。
【００６３】
図１１、１２の実施の形態に係る支持枠１のその他の構成、作用効果は図１〜図７の支持枠１のものと同じである。
【００６４】
各実施の形態に係る水耕栽培装置によれば、支持枠１が組み立て式又は折り畳み式であるから搬送時や格納時に嵩張らずコンパクトにでき、その結果搬送、格納のスペースが小さくてよく、販売業者のみならず個人でも購入後各家庭に容易に搬送できる。
【００６５】
支持枠１を組み立て式に構成した場合、当該支持枠１の板９、１０、１１、１２等の構成部材を独立して成形できるので各構成部材の加工が容易であるばかりでなく支持枠１全体の成形が容易であり、成形コストの削減を図れる。
【００６６】
即ち、支持枠１は金型を利用しても成形可能であるが、本発明のような箱型の支持枠１を成形するには大型の金型を使用する必要があり、特に、金型を利用して支持枠１を成形する場合は係止孔１４、切欠き溝１５、溝１９、２０等の成形の後加工が必要となるが、本発明の支持枠１は組立式であるからこのような大型の金型、設備が不要となり、二次加工も不要となり、加工性、経済性の向上を図れる。
【００６７】
また、支持枠１の内部と上端とにそれぞれ籠２、蓋３、挟持具４、給水シート５を重ねて設置できるから各部材を組み付けたときの全体の水耕栽培装置Ｐがコンパクトであり設置スペースが小さくて済む。
【００６８】
従って、一戸建ての住宅やマンションのベランダ等にも設置でき、商業用のみならず家庭用の水耕栽培装置にも適する。
【００６９】
更に、支持枠１上に他の部品を重ねておくことが出来るので、特別な支持装置が不要であり、設置作業が簡単容易であり、ベランダ等に簡単に設置できる。
【００７０】
ホウレン草等の縮物を栽培する場合は、例えば、各家庭のベランダ等に支持枠１を組み立てて立て掛け、この支持枠１に順次籠２と、通気性シート８Ａからなる水槽８と、蓋３とを設置し、次いで、種子Ｓを給水シート５上に置いた状態で挟持具４を蓋３の開口６に差し込み、給水シート５の下部を養液Ａ内に垂らして浸入させる。
【００７１】
そして、図４に示すように、数日中に、種子Ｓが給水シート５から吸水して発芽する。
【００７２】
発芽した植物Ｗは、根Ｒから給水シート５中の養液Ａを吸収して成長し、給水シート５を伝って下方に伸びる。植物Ｐの根Ｒは、成長して太くなったとしても、向かい合う凹部ｃ、ｄの間にできる空隙を通っているので、挟持部材４Ａ，４Ｂで圧迫されて成長が阻害されることがない。
【００７３】
また、通気性シート８Ａは気体を透過するので日光等で水槽８内の養液Ａが加熱されるとこの養液Ａが蒸発し、その蒸気が通気性シート８Ａのメッシュより水槽８から出るためその時の気化熱で通気性シート８Ａが冷やされ、その結果養液Ａも適正な温度に冷やされて植物の育成を阻害しないようになっている。
【００７４】
同じように、籠２や支持枠１もメッシュ７や通気口１８、１９を備えているので換気が可能で、水槽８内の養液Ａが高温になるのが防止される。
【符号の説明】
【００７５】
１  支持枠
２  籠
２Ａ、２Ｂ  前後の枠体
２Ｃ、２Ｄ  左右の枠体，
３  蓋
４  挟持具
５  給水シート
６  開口
７  メッシュ
８  水槽
８Ａ  通気性シート
９、１０  前後の板
９Ａ、１０Ａ  板本体
１１、１２  左右の板
１１Ａ、１２Ａ  板本体
１３  支持片
１４  係止孔
１５  切欠き溝
１６  フック
１８  通気孔
１９、２０  溝
４０Ａ、４０Ｂ  本体部
４０Ｃ  突起
Ａ  養液
ａ、ｂ  当接面
ｃ、ｄ  凹部
Ｐ  水耕栽培装置
Ｗ  植物
【図１】
2018074956.tif 000003
【図２】
2018074956.tif 000004
【図３】
2018074956.tif 000005
【図４】
2018074956.tif 000006
【図５】
2018074956.tif 000007
【図６】
2018074956.tif 000008
【図７】
2018074956.tif 000009
【図８】
2018074956.tif 000010
【図９】
2018074956.tif 000011
【図１０】
2018074956.tif 000012
【図１１】
2018074956.tif 000013
【図１２】
2018074956.tif 000014
【図１３】
2018074956.tif 000015